(57)【特許請求の範囲】
【請求項１】
メディアとの対向方向及び前記メディアの搬送方向それぞれに直交する移動方向に移動可能なインクジェットヘッドであって、
前記メディア側及びその背面側に開口するケースと、
前記ケースの前記メディア側を塞ぐように前記ケースに取り付けられ、前記メディアにインク滴を吐出可能なヘッド本体と、
前記ケースの背面側から前記ケースに収容され、前記ヘッド本体にインクを供給可能なインク供給部材と、
前記ケース、前記ヘッド本体及び前記インク供給部材に囲まれた第１空間に配置され、前記ヘッド本体に駆動信号を出力可能なドライバＩＣと、
を有し、
前記第１空間に対して前記移動方向の両側に、前記第１空間をこのインクジェットヘッドの外部へ開放する１対の開口部が構成されており、
前記ドライバＩＣは、前記開口部から流入する空気に接触する位置に配置されている
インクジェットヘッド。
【請求項２】
メディアとの対向方向及び前記メディアの搬送方向それぞれに直交する移動方向に移動可能なインクジェットヘッドであって、
前記メディア側及びその背面側に開口するケースと、
前記ケースの前記メディア側を塞ぐように前記ケースに取り付けられ、前記メディアにインク滴を吐出可能なヘッド本体と、
前記ケースの背面側から前記ケースに収容され、前記ヘッド本体にインクを供給可能なインク供給部材と、
前記ケース、前記ヘッド本体及び前記インク供給部材に囲まれた第１空間に配置され、前記ヘッド本体に駆動信号を出力可能なドライバＩＣと、
を有し、
前記第１空間に対して前記移動方向の両側に、前記第１空間をこのインクジェットヘッドの外部へ開放する１対の開口部が構成されており、
前記対向方向に見て、前記１対の開口部、及び、前記１対の開口部同士をその両端において結ぶ１対の対辺に囲まれた領域に前記ドライバＩＣの少なくとも一部が位置している
インクジェットヘッド。
【請求項３】
前記対向方向に見て、前記囲まれた領域に前記ドライバＩＣの全体が位置している
請求項２に記載のインクジェットヘッド。
【請求項４】
前記移動方向に見て、前記１対の開口部は互いに重なる領域を有している
請求項１〜３のいずれか１項に記載のインクジェットヘッド。
【請求項５】
前記互いに重なる領域の面積は、前記１対の開口部それぞれの面積の９割以上である
請求項４に記載のインクジェットヘッド。
【請求項６】
前記第１空間内に前記ドライバＩＣに当接するヒートシンクを更に有した
請求項１〜５のいずれか１項に記載のインクジェットヘッド。
【請求項７】
前記対向方向に見て、前記１対の開口部、及び、前記１対の開口部同士をその両端において結ぶ１対の対辺に囲まれた領域に前記ヒートシンクの少なくとも一部が位置している
請求項６に記載のインクジェットヘッド。
【請求項８】
メディアとの対向方向及び前記メディアの搬送方向それぞれに直交する移動方向に移動可能なインクジェットヘッドであって、
前記メディア側及びその背面側に開口するケースと、
前記ケースの前記メディア側を塞ぐように前記ケースに取り付けられ、前記メディアにインク滴を吐出可能なヘッド本体と、
前記ケースの背面側から前記ケースに収容され、前記ヘッド本体にインクを供給可能なインク供給部材と、
前記ケース、前記ヘッド本体及び前記インク供給部材に囲まれた第１空間に配置され、前記ヘッド本体に駆動信号を出力可能なドライバＩＣと、
前記第１空間内に配置され、前記ドライバＩＣに当接するヒートシンクと、
を有し、
前記第１空間に対して前記移動方向の両側に、前記第１空間をこのインクジェットヘッドの外部へ開放する１対の開口部が構成されており、
前記移動方向に見て、前記ヒートシンクの前記メディアとは反対側の面は、前記１対の開口部が互いに重なる領域の前記メディア側の縁部の位置若しくは当該位置よりも前記メディア側の位置にある、又は、前記１対の開口部の前記メディア側の縁部の位置若しくは当該位置よりも前記メディア側の位置にある
インクジェットヘッド。
【請求項９】
前記ケース内に、前記ヒートシンク、前記ケース及び前記ヘッド本体に囲まれた第２空間が構成されている
請求項８に記載のインクジェットヘッド。
【請求項１０】
前記ヒートシンクは、金属板を折り返して構成されており、その折り返しによって互いに対向する１対の対向面の間に間隙を有している
請求項６〜９のいずれか１項に記載のインクジェットヘッド。
【請求項１１】
前記１対の対向面を対向させる折り返し部は、その折り目乃至は湾曲の軸が前記移動方向に沿っている
請求項１０に記載のインクジェットヘッド。
【請求項１２】
前記移動方向に見て、前記折り返し部は、前記１対の開口部が互いに重なる領域の外側に位置している、又は、前記１対の開口部の外側に位置している
請求項１１に記載のインクジェットヘッド。
【請求項１３】
前記移動方向に見て、前記１対の開口部の互いに重なる領域の少なくとも一部が前記１対の対向面の間に位置している
請求項１０〜１２のいずれか１項に記載のインクジェットヘッド。
【請求項１４】
前記１対の対向面の少なくとも一方には、凹部、凸部及び凹凸部の少なくともいずれかを含む起伏部が設けられている
請求項１０〜１３のいずれか１項に記載のインクジェットヘッド。
【請求項１５】
前記起伏部は、前記移動方向に沿って設けられている
請求項１４に記載のインクジェットヘッド。
【請求項１６】
前記ヘッド本体と前記ドライバＩＣとを接続するケーブルを更に有し、
前記ケーブルは、
前記ヘッド本体に重なり、前記ヘッド本体に接続される接続部と、
前記接続部に対して折り返されて前記接続部の前記ヘッド本体とは反対側に位置し、前記ドライバＩＣと接続される延在部と、を有し、
前記接続部に対して前記延在部を折り返す部分は、前記対向方向に見て、前記１対の開口部、及び、前記１対の開口部同士をその両端において結ぶ１対の対辺に囲まれた領域の外側に位置している
請求項１〜１５のいずれか１項に記載のインクジェットヘッド。
【請求項１７】
請求項１〜１６のいずれか１項に記載のインクジェットヘッドと、
前記インクジェットヘッドを前記移動方向に移動させる移動装置と、
前記メディアを前記搬送方向に搬送する搬送装置と、
を有したプリンタ。
【発明の詳細な説明】
【技術分野】
【０００１】
本発明は、インクジェットヘッド、及び、インクジェットヘッドを有するプリンタに関する。
【背景技術】
【０００２】
インクジェットヘッドとして、インク滴を吐出するヘッド本体（狭義のヘッド）と、ヘッド本体にインクを供給するインク供給部材（インクタンク）と、ヘッド本体に駆動信号を印加するドライバＩＣ（Integrated Circuit）と、これらを保持するケースとを有するものが知られている（例えば特許文献１）。
【０００３】
ヘッド本体は、例えば、複数のノズル及び複数のノズルに通じる複数の圧力室を有する流路部材と、複数の圧力室に個別に圧力を付与可能な圧電アクチュエータとを有している。そして、ドライバＩＣは、圧電アクチュエータに対して、圧力室毎に駆動信号を印加し、複数のノズルからインクを吐出させる。
【０００４】
ケースは、メディア（例えば紙）側へ開口するとともに、その背面側に開口している。ヘッド本体は、ケースのメディア側の開口を塞ぐようにケースに取り付けられ、インク供給部材は、ケースの背面側の開口からケースに収容される。ドライバＩＣは、例えば、ケース、ヘッド本体及びインク供給部材により囲まれた空間に配置される。
【先行技術文献】
【特許文献】
【０００５】
【特許文献１】特開２０１１−７３２４４号公報
【発明の概要】
【発明が解決しようとする課題】
【０００６】
上記のようなインクジェットヘッドにおいては、ドライバＩＣの発熱量が大きくなる場合がある。例えば、各ノズルから複数のインク滴を吐出する際の吐出間隔が短く設定されたプリンタではドライバＩＣが発熱しやすい。また、例えば、複数のノズルにおいてインクを吐出するノズルの割合が多い（メディアにおいてインク滴が付着される領域の割合が無地のままの領域の割合に対して大きい）とき、ドライバＩＣが発熱しやすい。このような場合、ドライバＩＣの放熱が十分になされないと、ドライバＩＣが誤作動を生じるおそれがある。
【０００７】
従って、ドライバＩＣの放熱を好適に行うことができるインクジェットヘッド及びプリンタが提供されることが望まれる。
【課題を解決するための手段】
【０００８】
本発明の一態様に係るインクジェットヘッドは、メディアとの対向方向及び前記メディアの搬送方向それぞれに直交する移動方向に移動可能なインクジェットヘッドであって、前記メディア側及びその背面側に開口するケースと、前記ケースの前記メディア側を塞ぐように前記ケースに取り付けられ、前記メディアにインク滴を吐出可能なヘッド本体と、前記ケースの背面側から前記ケースに収容され、前記ヘッド本体にインクを供給可能なインク供給部材と、前記ケース、前記ヘッド本体及び前記インク供給部材に囲まれた第１空間に配置され、前記ヘッド本体に駆動信号を出力可能なドライバＩＣと、を有し、前記第１空間に対して前記移動方向の両側に、前記第１空間をこのインクジェットヘッドの外部へ開放する１対の開口部が構成されている。
【０００９】
好適には、前記対向方向に見て、前記１対の開口部、及び、前記１対の開口部同士をその両端において結ぶ１対の対辺に囲まれた領域に前記ドライバＩＣの少なくとも一部が位置している。
【００１０】
好適には、前記対向方向に見て、前記囲まれた領域に前記ドライバＩＣの全体が位置している。
【００１１】
好適には、前記移動方向に見て、前記１対の開口部は互いに重なる領域を有している。
【００１２】
好適には、前記互いに重なる領域の面積は、前記１対の開口部それぞれの面積の９割以上である。
【００１３】
好適には、前記インクジェットヘッドは、前記第１空間内に前記ドライバＩＣに当接するヒートシンクを更に有している。
【００１４】
好適には、前記対向方向に見て、前記１対の開口部、及び、前記１対の開口部同士をその両端において結ぶ１対の対辺に囲まれた領域に前記ヒートシンクの少なくとも一部が位置している。
【００１５】
好適には、前記移動方向に見て、前記ヒートシンクの前記メディアとは反対側の面は、前記１対の開口部が互いに重なる領域の前記メディア側の縁部の位置若しくは当該位置よりも前記メディア側の位置にある、又は、前記１対の開口部の前記メディア側の縁部の位置若しくは当該位置よりも前記メディア側の位置にある。
【００１６】
好適には、前記ケース内に、前記ヒートシンク、前記ケース及び前記ヘッド本体に囲まれた第２空間が構成されている。
【００１７】
好適には、前記ヒートシンクは、金属板を折り返して構成されており、その折り返しによって互いに対向する１対の対向面の間に間隙を有している。
【００１８】
好適には、前記１対の対向面を対向させる折り返し部は、その折り目乃至は湾曲の軸が前記移動方向に沿っている。
【００１９】
好適には、前記移動方向に見て、前記折り返し部は、前記１対の開口部が互いに重なる領域の外側に位置している、又は、前記１対の開口部の外側に位置している。
【００２０】
好適には、前記移動方向に見て、前記１対の開口部の互いに重なる領域の少なくとも一部が前記１対の対向面の間に位置している。
【００２１】
好適には、前記１対の対向面の少なくとも一方には、凹部、凸部及び凹凸部の少なくともいずれかを含む起伏部が設けられている。
【００２２】
好適には、前記起伏部は、前記移動方向に沿って設けられている。
【００２３】
好適には、前記インクジェットヘッドは、前記ヘッド本体と前記ドライバＩＣとを接続するケーブルを更に有し、前記ケーブルは、前記ヘッド本体に重なり、前記ヘッド本体に接続される接続部と、前記接続部に対して折り返されて前記接続部の前記ヘッド本体とは反対側に位置し、前記ドライバＩＣと接続される延在部と、を有し、前記接続部に対して前記延在部を折り返す部分は、前記対向方向に見て、前記１対の開口部、及び、前記１対の開口部同士をその両端において結ぶ１対の対辺に囲まれた領域の外側に位置している。
【００２４】
本発明の一態様に係るプリンタは、上記のインクジェットヘッドと、前記インクジェットヘッドを前記移動方向に移動させる移動装置と、前記メディアを前記搬送方向に搬送する搬送装置と、を有している。
【発明の効果】
【００２５】
上記の構成によれば、ドライバＩＣの放熱を好適に行うことができる。
【図面の簡単な説明】
【００２６】
【図１】本発明の実施形態に係るプリンタの要部を模式的に示す斜視図。
【図２】図１のプリンタのインクジェットヘッドの要部を模式的に示す分解斜視図。
【図３】図２のIII−III線における模式的な断面図。
【図４】図３のｚ方向負側部分の拡大図。
【図５】図２のＶ−Ｖ線における断面図。
【図６】図２のVI−VI線における断面図。
【図７】図７（ａ）はヘッド本体の一部の平面図であり、図７（ｂ）は図７（ａ）のVIIｂ−VIIｂ線における断面図。
【図８】図８（ａ）〜図８（ｃ）は変形例に係るヘッドを示す模式図。
【図９】図９（ａ）〜図９（ｃ）は変形例に係るヘッドを示す模式図。
【図１０】図１０（ａ）及び図１０（ｂ）は変形例に係るヒートシンクを示す模式図。
【発明を実施するための形態】
【００２７】
図１は、本発明の実施形態に係るプリンタ１の要部を模式的に示す斜視図である。
【００２８】
プリンタ１は、インクジェットプリンタである。より具体的には、例えば、プリンタ１は、ピエゾヘッド式、且つシリアルヘッド式のカラープリンタとされている。なお、プリンタ１は、適宜な数の色のインクでカラーの画像を実現してよいが、本実施形態では、４色（ブラック、イエロー、マゼンタ及びシアン）のインクによってカラー画像を実現する。
【００２９】
プリンタ１は、例えば、メディア（例えば紙）１０１を矢印ｙ１で示す搬送方向（ｙ方向）へ搬送する搬送装置３と、搬送されているメディア１０１に向けてインク滴を吐出するヘッド５と、ヘッド５をメディア１０１の搬送方向に直交する移動方向（矢印ｙ２,Ｘ方向）において往復移動させる移動装置７と、ヘッド５にインクを供給するインクカートリッジ９と、ヘッド５からのインクの吐出動作を含むプリンタ１の動作を制御する制御部１１とを有している。
【００３０】
ヘッド５からメディア１０１へのインク滴の吐出が、ｙ方向に広がった範囲で繰り返し行われつつ、移動装置７によるヘッド５の往復移動が行われることにより、メディア１０１には帯状の２次元画像が形成される。更に、搬送装置３によってメディア１０１が間欠的に搬送されることで、メディア１０１には、帯状の２次元画像が繋がって連続的な２次元画像が形成される。
【００３１】
搬送装置３は、例えば、不図示の供給スタックに積層された複数のメディア１０１を一ずつ不図示の排出スタックへ搬送する。搬送装置３は、公知の適宜な構成とされてよい。図１では、搬送経路がストレートパスとされ、メディア１０１に当接するローラ１３と、ローラ１３を回転させるモータ１５と、モータ１５に駆動電力を付与するドライバ１７とを有する搬送装置３が例示されている。
【００３２】
移動装置７は、公知の適宜な構成とされてよい。例えば、移動装置７は、キャリッジ（後述するケースを含む）を移動方向に案内可能に支持する不図示のガイドレールと、キャリッジに固定された不図示のベルトと、当該ベルトが掛け渡された不図示のプーリと、当該プーリを回転させるモータ１９と、モータ１９に駆動電力を付与するドライバ２１とを有している。
【００３３】
インクカートリッジ９は、ヘッド５とは別の場所に（ヘッド５と共に移動しないように）設置されている。インクカートリッジ９は、可撓性のチューブを介してヘッド５と接続されている。インクカートリッジ９は、ヘッド５が吐出するインクの色の数に対応して複数（本実施形態では４つ）設けられている。
【００３４】
制御部１１は、例えば、ＣＰＵ、ＲＯＭ、ＲＡＭ及び外部記憶装置を含んで構成されている。制御部１１は、搬送装置３のドライバ１７、移動装置７のドライバ２１及びヘッド５のドライバ（後述）に制御信号を出力し、搬送装置３、移動装置７及びヘッド５の動作を制御する。
【００３５】
図２は、ヘッド５の要部を示す模式的な分解斜視図である。
【００３６】
ヘッド５は、例えば、メディア１０１側（ｚ方向負側）から順に、インク滴を吐出可能なヘッド本体２３と、ヘッド本体２３に駆動信号を印加するためのケーブル２５及びドライバＩＣ２７と、ケーブル２５等の位置決めに寄与する取付部材２９と、図２に示す各種の部材を保持するケース３１と、ドライバＩＣ２７の放熱に寄与するヒートシンク３３と、ヘッド本体２３にインクを供給するためのインク供給部材３５とを有している。
【００３７】
なお、ヘッド５は、この他、特に図示しないが、ケース３１のｚ方向の正側の開口を塞ぐカバー、ケーブル２５と接続される他のケーブル、及び、当該他のケーブルと接続され、制御部１１と更に他のケーブルを介して接続される回路基板等を有していてもよい。
【００３８】
ヘッド本体２３は、例えば、概ね薄型の直方体状（板状）とされており、その主面をメディア１０１（ｚ方向負側）に向けて配置される。ヘッド本体２３は、メディア１０１に対向する複数のノズル（後述）と、各ノズルに通じる複数の圧力室（後述）を有する流路部材３７と、流路部材３７内のインクに圧力を付与して複数のノズルからインク滴を吐出させるための圧電アクチュエータ３９とを有している。
【００３９】
流路部材３７は、例えば、薄型の直方体状（板状）とされている。流路部材３７は、例えば、ｚ方向正側の主面のうちのｙ方向負側の領域に、インクが供給される複数（例えば４つ）の供給口３７ｈが形成されている。４つの供給口３７ｈは４色に対応している。圧電アクチュエータ３９は、例えば、薄型の直方体状（板状）とされており、例えば、複数の供給口３７ｈの配置領域を除いて、流路部材３７の概ね全体に重なっている。
【００４０】
別の観点では、ヘッド本体２３は、ノズルをそれぞれ有する複数の吐出素子４９を有している。吐出素子４９は、例えば、色毎に１〜４列（図２では色毎に２列）でｙ方向に配列されている。ｙ方向に配列された吐出素子４９の列は、その端部側に位置する供給口３７ｈに接続されている。
【００４１】
なお、互いに異なる色に対応する供給口３７ｈ及び吐出素子４９の列は、本実施形態に限らず、一般的に、移動方向（ｘ方向）に並べられる。従って、供給口３７ｈ及び吐出素子４９の構成（ヘッド５のみの構成）に基づいて、移動方向を特定することができる。
【００４２】
ケーブル２５は、例えば、ＣＯＦ（Chip On Film）式のフレキシブル基板（ＦＰＣ）によって構成されており、圧電アクチュエータ３９に重なる接続部２５ａと、接続部２５ａから互いに反対方向へ延び出る第１延在部２５ｂ及び第２延在部２５ｃとを有している。接続部２５ａは、例えば、圧電アクチュエータ３９の概ね全体に重なる形状及び広さを有し、圧電アクチュエータ３９に接続される。第１延在部２５ｂは、例えば、ｙ方向正側に延び出ている。
【００４３】
ドライバＩＣ２７は、例えば、長尺の直方体状に形成されており、第１延在部２５ｂにおいてｘ方向を長手方向として実装されている。また、ドライバＩＣ２７は、例えば、ケーブル２５の２つの主面（表裏）のうち、接続部２５ａにおいて圧電アクチュエータ３９に対向する主面に実装されている。
【００４４】
取付部材２９は、例えば、樹脂又は金属からなり、概略板状の基部２９ａと、基部２９ａからヘッド本体２３とは反対側（ｚ方向正側）へ突出する複数の係合部２９ｂ及び複数のピン２９ｃとを有している。基部２９ａは、例えば、ケーブル２５の接続部２５ａ（圧電アクチュエータ３９）の概ね全体に重なる形状及び広さを有している。
【００４５】
ケース３１は、例えば、収容部３１ａと、収容部３１ａに比較してｚ方向において小さい（内部空間が浅い）薄型部３１ｂと、薄型部３１ｂから突出する突出部３１ｘとを有している。
【００４６】
収容部３１ａは、例えば、概略、ヘッド本体２３とは反対側に開口する箱状とされており、ｘ方向の両側に位置する１対の側面部３１ｃと、ｙ方向の両側に位置する１対の端面部３１ｄと、ｚ方向の負側に位置する底面部３１ｅとを有している。底面部３１ｅには、点線で示すように、ヘッド本体２３とインク供給部材３５との接続等に寄与する窓部３１ｆが開口している。１対の側面部３１ｃには、ケース３１内の換気用の１対の開口部３１ｇが開口している。
【００４７】
薄型部３１ｂは、例えば、収容部３１ａのｙ方向正側且つｚ方向正側に位置している。薄型部３１ｂは、例えば、概略、ｚ方向の正側に開口する薄型の箱状とされている。
【００４８】
突出部３１ｘは、薄型部３１ｂからｚ方向の負側に突出しており、ｙ方向において収容部３１ａに対向している。突出部３１ｘと収容部３１ａとの間には、移動装置７のｘ方向に延びる不図示のガイドレールが配置され、これにより、ケース３１はｘ方向に案内される。なお、このように、ヘッド５は、ヘッド５のみの構成からでも移動方向を特定可能である。
【００４９】
ヒートシンク３３は、例えば、平面視において概ね取付部材２９に重なる形状及び広さを有している。ヒートシンク３３は、例えば、金属板が折り返されて構成されており、互いに対向する第１対向部３３ａ及び第２対向部３３ｂと、これらを繋げている折り返し部３３ｃとを有している。第１対向部３３ａ及び第２対向部３３ｂとは、例えは、互いに離れて平行に対向しており、その間に間隙３３ｄが構成されている。
【００５０】
インク供給部材３５は、例えば、インクが流れる溝や貫通孔が形成された（非可撓性の）基体４１と、基体４１に貼られた不図示の可撓性の複数のフィルムとを有して構成されている。インク供給部材３５は、例えば、概略、ｙ方向負側へ延びてからｚ方向の負側へ延びるＬ字に形成されており、インクは、概略、このＬ字に沿って流れる。
【００５１】
より具体的には、例えば、まず、複数色のインクは、ｙ方向正側の部分にてｚ方向正側に開口する複数のインク導入口４３に供給される。そして、複数色のインクは、例えば、全体としてｙ方向負側へ延びる不図示の複数のインク導入路を流れる。このインク導入路は、例えば、基体４１の導入板状部４１ａのｚ方向負側の面に溝が形成され、この溝のｚ方向負側の面が不図示の可撓性のフィルムによって塞がれることによって構成されている。
【００５２】
次に、複数色のインクは、例えば、必要に応じてｚ方向負側へ流れた後、ｚ方向に積層的に配置された複数のバッファー部４５（本実施形態では４色に対応して４つ。ただし、２つは不図示）を全体としてｙ方向正側へ流れる。複数のバッファー部４５は、基体４１の２枚のバッファー板状部４１ｂのｚ軸方向の正側及び負側の面に比較的広い面積の凹部が形成され、その凹部のｚ方向の正側又は負側の開口が可撓性の不図示のフィルムによって塞がれることによって構成されている。バッファー部４５では、不図示のフィルムの撓みによってインクの圧力変動が吸収される。
【００５３】
次に、複数色のインクは、必要に応じてｚ方向正側へ流れた後、インク供給路４７をｚ方向負側へ流れる。インク供給路４７は、例えば、基体４１に、ｚ方向に貫通し、ｘ方向へ配列された貫通孔が形成されることによって構成されている。別の観点では、インク供給路４７は、ｘ方向へ連ねられた複数の筒状部４１ｃによって構成されている。そして、複数色のインクは、インク供給路４７の下端の開口からヘッド本体２３に供給される。
【００５４】
なお、図２は模式図であることから、各部材の形状は単純化されているが、実際には、より複雑な形状とされてよい。例えば、インク供給部材３５については、複数の流路が立体交差することなどを避けて図示しており、また、流路の方向はｙ方向に平行とされている。実際には、複数の流路が適宜に立体交差したり、ｙ方向に傾斜する方向に流路が延びたりしてもよい。また、複数のインク導入口４３は、ｘ方向ではなく、ｙ方向に配列されてもよい。また、例えば、取付部材２９については、基部２９ａを板状としているが、後述するようにドライバＩＣ２７と重なる部分等において肉厚部が形成されてもよい。
【００５５】
図３は、図２のIII−III線におけるヘッド５の模式的な断面図である。ただし、インク供給部材３５については、一部のみについて断面を示している。また、図４は、図３のｚ方向負側部分の拡大図である。
【００５６】
ヘッド本体２３は、ケース３１に対して窓部３１ｆを塞ぐように固定される。なお、固定は、接着剤、ねじ、及び／又は、ケース３１の爪等の適宜な手段によりなされてよい。窓部３１ｆは、例えば、流路部材３７よりも狭く、圧電アクチュエータ３９よりも広くされており、流路部材３７は窓部３１ｆの外側（ｚ方向負側）に位置している。ただし、窓部３１ｆは、圧電アクチュエータ３９よりも狭くされ、圧電アクチュエータ３９も窓部３１ｆの外側に位置してもよいし、逆に、窓部３１ｆは、流路部材３７が嵌合する大きさとされてもよい。
【００５７】
また、インク供給部材３５は、ケース３１の窓部３１ｆとは反対側（ｚ方向の正側）の開口からケース３１へ収容される。インク供給部材３５は、例えば、ケース３１にほぼ嵌合する。具体的には、例えば、インク供給部材３５のバッファー板状部４１ｂ（バッファー部４５）及び筒状部４１ｃ（インク供給路４７）は、ケース３１の収容部３１ａに対してｘ方向及びｙ方向においてほぼ嵌合し、インク供給部材３５の導入板状部４１ａはケース３１の薄型部３１ｂにほぼ嵌合する。別の観点では、収容部３１ａの１対の端面部３１ｄ及び１対の側面部３１ｃの内面にはインク供給部材３５が当接し、収容部３１ａのｚ方向の正側の開口はインク供給部材３５によって塞がれる。
【００５８】
ケース３１の窓部３１ｆがヘッド本体２３に塞がれ、ケース３１のｚ方向正側の開口がインク供給部材３５によって塞がれることにより、ケース３１内には、ケース３１、ヘッド本体２３及びインク供給部材３５によって囲まれた第１空間Ｓ１が構成される。そして、ヘッド本体２３に対してｚ方向の正側に積層的に配置される部材（ケーブル２５、ドライバＩＣ２７、取付部材２９及びヒートシンク３３）は、第１空間Ｓ１に収容されている。
【００５９】
なお、インク供給部材３５とケース３１の収容部３１ａの内面とは、全周に亘って当接していてもよいし、一部において当接していなくてもよい。すなわち、インク供給部材３５は、第１空間Ｓ１のｚ方向正側を完全に密閉していてもよいし、していなくてもよい。例えば、インク供給部材３５とケース３１との間には、ケーブル２５に接続された不図示のケーブルを第１空間Ｓ１から延出させるための隙間があってよい。
【００６０】
ヘッド本体２３（圧電アクチュエータ３９）の上（ｚ方向の正側）には、ケーブル２５の接続部２５ａ及び取付部材２９の基部２９ａが順に重ねられる。ケーブル２５の第１延在部２５ｂは、折り返されて基部２９ａの上に重ねられ、ひいては、ドライバＩＣ２７は、第１延在部２５ｂの上に位置する。ヒートシンク３３は、第１対向部３３ａをドライバＩＣ２７に当接させてドライバＩＣ２７の上に配置され、第２対向部３３ｂは、第１空間Ｓ１の上方へ露出する。
【００６１】
第１延在部２５ｂ及び第２延在部２５ｃには、複数の係合孔２５ｄ（図２）が形成されている。第１延在部２５ｂ及び第２延在部２５ｃが折り返され、これらが取付部材２９のｚ方向の正側に重ねられる際、取付部材２９の複数のピン２９ｃが複数の係合孔２５ｄに挿入される。これにより、取付部材２９とケーブル２５とは位置決めされる。なお、この際、ケーブル２５は平面方向の復元力を生じてもよい。複数の係合孔２５ｄは、例えば、ケーブル２５の４隅に設けられている。
【００６２】
取付部材２９において、複数の係合部２９ｂは、基部２９ａの内側（例えばｙ方向の内側）に突出する爪を有している。そして、ヒートシンク３３がその第１対向部３３ａをドライバＩＣ２７に当接させるように配置されると、係合部２９ｂの爪が第１対向部３３ａの基部２９ａとは反対側の面に係合する。これにより、ヒートシンク３３は、ドライバＩＣ２７に当接した状態で取付部材２９に保持される。複数の係合部２９ｂは、例えば、基部２９ａの４隅に設けられている（図２）。ヒートシンク３３の第２対向部３３ｂには、例えば、係合部２９ｂに対応する位置（４隅）に、係合部２９ｂと第１対向部３３ａとの係合を阻害しないように、切り欠き３３ｅ（図２も参照）が形成されている。
【００６３】
なお、上述した以外に、取付部材２９等の各種の部材の位置決めをする部位がケース３１に設けられたり、位置決め用の部材がケース３１内に設けられたりしてもよい。
【００６４】
ヒートシンク３３は比較的広い面積（例えば圧電アクチュエータ３９と概ね同等の面積）を有しており、また、取付部材２９及びドライバＩＣ２７がスペーサとなってヘッド本体２３から離れて配置されている。従って、ケース３１内には、ヒートシンク３３、ケース３１及びヘッド本体２３に囲まれた第２空間Ｓ２が構成されている。ケーブル２５及びドライバＩＣ２７（の少なくとも一部）は、この第２空間Ｓ２に配置されている。
【００６５】
なお、ヒートシンク３３の外縁がケース３１の内面に当接するようにし、第２空間Ｓ２の密閉度を高くしてもよい。この場合、ヒートシンク３３は、例えば、取付部材２９の係合部２９ｂが挿通される孔が形成されることにより当該孔の縁部において係合部２９ｂに係止されたり、及び／又は、インク供給部材３５の適宜な部位に押さえつけられたりすることによって、ドライバＩＣ２７に当接されてよい。
【００６６】
１対の開口部３１ｇは、第１空間Ｓ１に通じており、第１空間Ｓ１をヘッド５（ケース３１）の外部へ開放している。１対の開口部３１ｇは、第１空間Ｓ１に対してヘッド５の移動方向（ｘ方向）の両側に位置していることから、ヘッド５の移動によって、周囲の雰囲気（通常は大気圧下の空気。以下、空気を例にとる。）が一方の開口部３１ｇから他方の開口部３１ｇへ流れる。これにより、ドライバＩＣ２７等の発熱によって温度が上昇した第１空間Ｓ１の換気がなされ、ひいては、ドライバＩＣ２７等の放熱が好適になされる。
【００６７】
１対の開口部３１ｇの構成、及び、１対の開口部３１ｇと第１空間Ｓ１内の部材（ドライバＩＣ２７等）との位置関係は、例えば、以下のとおりである。
【００６８】
図５は、図２のＶ−Ｖ線における模式的な断面図である。図６は、図２のVI−VI線における模式的な断面図である。なお、これらの図において、細部の図示は省略されている。また、図５では、取付部材２９の図示は省略されている。
【００６９】
図２〜図６に示すように、１対の開口部３１ｇは、例えば、ｙｚ平面に平行な不図示の対称面に対して、概略、面対称の位置、形状及び大きさで形成されている。従って、１対の開口部３１ｇは、移動方向に見て互いに重なる重複領域３２（図３、図４）を有しており、その重複領域３２の面積は、各開口部３１ｇの面積の９割以上である（本実施形態では、両者はその全体が互いに重なる。）。
【００７０】
開口部３１ｇの形状は、多角形（例えば矩形。角部が面取りされたものを含む）、円形、長円形など、適宜な形状とされてよい。本実施形態では、矩形の場合を例示している。
【００７１】
平面視おいて（ヘッド５のメディア１０１への対向方向（ｚ方向）に見て）、１対の開口部３１ｇによって空気が流れやすい領域は、図５において２点鎖線で示す、１対の開口部３１ｇの間の第１領域Ｒ１である。第１領域Ｒ１は、空気が直線的に１対の開口部３１ｇを通過できる領域だからである。
【００７２】
具体的には、第１領域Ｒ１は、１対の開口部３１ｇのメディア１０１の搬送方向の搬送元側（ｙ方向の負側）の端部同士を結ぶ第１仮想線Ｌ１（直線）と、１対の開口部３１ｇのメディア１０１の搬送方向の搬送先側（ｙ方向の正側）の端部同士を結ぶ第２仮想線Ｌ２（直線）と、１対の開口部３１ｇとによって囲まれる領域である。端的に言えば、第１領域Ｒ１は、平面視における１対の開口部３１ｇの両端を頂点とする矩形領域である。本実施形態では、１対の開口部３１ｇは面対称であることから、第１領域Ｒ１は、長方形となっている。
【００７３】
なお、厳密には、開口部３１ｇは平面視においては直線とは限らないので、第１領域Ｒ１は、概略矩形である。ただし、便宜的に、第１仮想線Ｌ１及び第２仮想線Ｌ２を１対の対辺ということがある。また、開口部３１ｇのｙ方向両側の縁部位置がｚ方向の位置によってｙ方向において異なる場合は、例えば、最も外側の位置を基準として第１領域Ｒ１を規定してよい。また、開口部３１ｇのｙ方向両側の縁部位置がｚ方向の位置によってｘ方向において異なる場合（ｚ方向の両側の縁部位置がｘ方向において異なる場合）も、例えば、最も外側の位置を基準として第１領域Ｒ１を規定してよい。
【００７４】
平面視したときと同様に、メディア１０１の搬送方向（ｙ方向）に見たときに、１対の開口部３１ｇによって空気が流れやすい領域は、図６において２点鎖線で示す、１対の開口部３１ｇの間の第２領域Ｒ２である。
【００７５】
具体的には、第２領域Ｒ２は、１対の開口部３１ｇのメディア１０１側（ｚ方向の負側）の端部同士を結ぶ第３仮想線Ｌ３（直線）と、１対の開口部３１ｇのメディア１０１とは反対側（ｚ方向の正側）の端部同士を結ぶ第４仮想線Ｌ４（直線）と、１対の開口部３１ｇとによって囲まれる領域である。端的に言えば、第２領域Ｒ２は、ｙ方向に見たときの１対の開口部３１ｇの両端を頂点とする矩形領域である。本実施形態では、１対の開口部３１ｇは面対称であることから、第２領域Ｒ２は、長方形となっている。なお、ｙｚ平面に平行でない開口部３１ｇについて第２領域Ｒ２を規定するときに、最も外側の位置を基準としてよいことは、第１領域Ｒ１と同様である。
【００７６】
図５に示すように、ドライバＩＣ２７は、平面視において、少なくとも一部が第１領域Ｒ１に位置している。本実施形態では、ドライバＩＣ２７の全体が第１領域Ｒ１に位置している。また、ヒートシンク３３は、平面視において、少なくとも一部が第１領域Ｒ１に位置している。本実施形態では、ヒートシンク３３の中央側の比較的広い範囲（例えば６割以上）が第１領域Ｒ１に位置している。なお、ヒートシンク３３の全体が第１領域Ｒ１に収まるような１対の開口部３１ｇが形成されてもよい。
【００７７】
また、図４（及び図６）に示すように、移動方向（ｘ方向）に見て、１対の開口部３１ｇ（その和の領域。本実施形態では重複領域３２と同じ。）は、ヒートシンク３３上に位置している。具体的には、ヒートシンク３３の第２対向部３３ｂのメディア１０１とは反対側の面は、１対の開口部３１ｇのメディア１０１側の縁部（下端）の位置、又は、当該位置よりもメディア１０１側に位置している。
【００７８】
１対の開口部３１ｇがヒートシンク３３上に位置していることから明らかなように、ヒートシンク３３の折り返し部３３ｃ（図４）は、移動方向（ｘ方向）に見て、１対の開口部３１ｇ（その和の領域。本実施形態では重複領域３２と同じ。）の外側（メディア１０１側）に位置している。さらに、図５に示すように、折り返し部３３ｃは、平面視において、第１領域Ｒ１の外側に位置している。また、折り返し部３３ｃは、その折り目乃至は湾曲の軸が移動方向に沿うように（好ましくは平行に）設けられている。
【００７９】
同様に、１対の開口部３１ｇがヒートシンク３３上に位置していることから、その下に位置するケーブル２５の、第１延在部２５ｂ側の第１折り返し部２５ｅ（図４）、及び、第２延在部２５ｃ側の第２折り返し部２５ｆ（図４）は、移動方向（ｘ方向）に見て、１対の開口部３１ｇ（その和の領域。本実施形態では重複領域３２と同じ。）の外側（メディア１０１側）に位置している。さらに、図５に示すように、第１折り返し部２５ｅ及び第２折り返し部２５ｆは、平面視において、第１領域Ｒ１の外側に位置している。また、第１折り返し部２５ｅ及び第２折り返し部２５ｆは、その折り目乃至は湾曲の軸が移動方向に沿うように（好ましくは平行に）設けられている。
【００８０】
図７（ａ）は、ヘッド本体２３の一部（吐出素子４９）の平面図であり、図７（ｂ）は図７（ａ）のVIIｂ−VIIｂ線における断面図である。
【００８１】
流路部材３７は、例えば、メディア１０１側（ｚ方向負側）の主面に開口する複数のノズル５１と、複数のノズル５１に通じ、メディア１０１とは反対側の主面に開口する複数の圧力室５３と、供給口３７ｈからのインクを複数の圧力室５３に供給するための共通流路５５とを有している。
【００８２】
なお、これらの具体的形状は適宜に設定されよい。例えば、本実施形態において示すように、圧力室５３の平面形状は、短辺の中央にノズル５１が接続される概ね矩形であってもよい。また、例えば、圧力室５３の平面形状は、角部にノズル５１が接続される菱形であってもよいし、半円状の端部にノズル５１が接続される長円乃至は楕円であってもよい。
【００８３】
流路部材３７は、例えば、流路となる貫通孔若しくは溝が形成された複数の板状部材５７がｚ方向に積層されることによって構成されている。複数の板状部材５７は、例えば、ステンレス鋼等の金属からなる。なお、ノズル５１が形成される板状部材５７を樹脂で構成し、他の板状部材５７を金属で構成するなどしてもよい。
【００８４】
圧電アクチュエータ３９は、例えば、ユニモルフ型の圧電アクチュエータ基板により構成されており、流路部材３７側から順に、振動板５９、共通電極６１、圧電体６３及び複数の個別電極６５が積層されて構成されている。なお、これらはいずれも層状（板状）に形成されている。
【００８５】
個別電極６５と共通電極６１との間に電圧が印加されると、圧電体６３は逆圧電効果によって平面方向において縮小する。これにより、振動板５９は圧力室５３側へ撓む。この動作が利用されて、圧力室５３内のインクに圧力が付与され、インク滴がノズル５１から吐出される。
【００８６】
振動板５９、共通電極６１及び圧電体６３は、複数の圧力室５３（複数の吐出素子４９）全体に亘って設けられている。一方、個別電極６５は、圧力室５３毎（吐出素子４９毎）に設けられている。共通電極６１には、例えば、基準電位が付与される。複数の個別電極６５には選択的に共通電極６１とは異なる電位（駆動信号）が付与される。これにより、複数のノズル５１から選択的にインク滴が吐出される。
【００８７】
複数の個別電極６５は、圧力室５３の概略全体に重なり、圧電体６３に電圧を印加するための電極本体６５ａと、ＦＰＣ２７との接続のための引出電極６５ｂとを有している。電極本体６５ａは、例えば、圧力室５３の平面形状と概ね同様（相似）の形状とされており、本実施形態では、矩形である。引出電極６５ｂは、電極本体６５ａから適宜な方向に延び出ている。
【００８８】
図２等に示したケーブル２５の接続部２５ａは、例えば、引出電極６５ｂと対向する不図示の複数のパッドを有し、当該複数のパッドは、不図示のバンプを介して複数の引出電極６５ｂと接続される。また、例えば、接続部２５ａの適宜な位置に設けられた不図示のパッドと、圧電体６３上に設けられ、共通電極６１に接続された不図示のパッドとが不図示のバンプを介して接続される。これにより、ドライバＩＣ２７は、共通電極６１及び複数の個別電極６５に接続される。
【００８９】
ドライバＩＣ２７には、例えば、所定の駆動周期毎に、全てのノズル５１に関して吐出すべきインク量のデータが制御部１１から入力される。ドライバＩＣ２７は、共通電極６１に基準電位を付与するとともに、入力されたデータに基づいて複数の個別電極６５に所定の波形の駆動信号を選択的に出力する。また、ドライバＩＣ２７は、例えば、入力されたデータに基づいて駆動周期内において駆動信号を出力する回数を設定する。
【００９０】
以上のとおり、本実施形態では、メディア１０１との対向方向（ｚ方向）及びメディア１０１の搬送方向（ｙ方向）それぞれに直交する移動方向（ｘ方向）に移動可能なインクジェットヘッド５は、メディア１０１側及びその背面側に開口するケース３１と、ケース３１のメディア１０１側を塞ぐようにケース３１に配置され、メディア１０１にインク滴を吐出可能なヘッド本体２３と、ケース３１の背面側からケース３１に収容され、ヘッド本体２３にインクを供給可能なインク供給部材３５と、ケース３１、ヘッド本体２３及びインク供給部材３５に囲まれた第１空間Ｓ１に配置され、ヘッド本体２３に駆動信号を出力可能なドライバＩＣ２７と、を有している。また、ヘッド５には、第１空間Ｓ１に対して移動方向（ｘ方向）の両側に、第１空間Ｓ１をこのヘッド５の外部へ開放する１対の開口部３１ｇが構成されている。
【００９１】
従って、例えば、既に言及したように、ドライバＩＣ２７の熱によって温度が上昇した第１空間Ｓ１の換気を１対の開口部３１ｇを介して行うことができる。１対の開口部３１ｇは、ヘッド５の移動方向の両側に位置していることから、ヘッド５の移動によって一方の開口部３１ｇから他方の開口部３１ｇへの空気の流れが生じ、好適に換気が行われる。その結果、例えば、ドライバＩＣ２７の放熱が促進され、ドライバＩＣ２７の熱による誤作動が生じる可能性が低減される。なお、従来においては、第１空間Ｓ１は、略密閉され、ひいては、ドライバＩＣ２７によって生じた熱がこもりやすかった。しかし、ドライバＩＣ２７の放熱に関して、第１空間Ｓ１が略密閉されていることに着目はされていなかった。
【００９２】
また、本実施形態では、ヘッド５のメディア１０１との対向方向（ｚ方向）に見て、１対の開口部３１ｇ、及び、１対の開口部３１ｇ同士をその両端において結ぶ１対の対辺（第１仮想線Ｌ１及び第２仮想線Ｌ２）に囲まれた第１領域Ｒ１にドライバＩＣ２７の少なくとも一部が位置している。
【００９３】
従って、換気がなされやすい第１領域Ｒ１と、ドライバＩＣ２７との距離（ｚ方向等）が近い。又は、本実施形態とは異なりドライバＩＣ２７が１対の開口部３１ｇと同等の高さにあるときは、換気がなされやすい空間にドライバＩＣ２７が位置する。その結果、ドライバＩＣ２７の放熱が好適に行われる。
【００９４】
特に、本実施形態では、ヘッド５のメディア１０１との対向方向に見て、第１領域Ｒ１にドライバＩＣ２７の全体が位置していることから、ドライバＩＣ２７の放熱がより好適に行われる。
【００９５】
また、本実施形態では、移動方向（ｘ方向）に見て、１対の開口部３１ｇは互いに重なる重複領域３２を有している。
【００９６】
従って、ヘッド５に対して移動方向に流れる空気が１対の開口部３１ｇを通過しやすくなる。その結果、換気が速やかに行われる。ひいては、ドライバＩＣ２７の放熱が好適に行われる。特に、重複領域３２をｘｚ断面とする空間に対して、平面視においてドライバＩＣ２７（又はヒートシンク３３）の少なくとも一部（好適には全部）が重なっている場合においては、ドライバＩＣ２７の放熱が好適に行われる。重複領域３２の風速が高くなると、ベルヌーイの定理に従って、その周囲の空気が引き寄せられやすくなり、周囲の換気も好適に行われることが期待される。
【００９７】
また、本実施形態では、重複領域３２の面積は、１対の開口部３１ｇそれぞれの面積の９割以上であることから、すなわち、移動方向（ｘ方向）に見て、１対の開口部３１ｇは大部分が重なることから、換気が速やかに行われる効果等がより好適に奏される。
【００９８】
また、本実施形態では、ヘッド５は、第１空間Ｓ１内にドライバＩＣ２７に当接するヒートシンク３３を更に有している。
【００９９】
従って、ドライバＩＣ２７の放熱がより好適になされる。具体的には、ドライバＩＣ２７の熱を第１空間Ｓ１内の空気に放出する面積を実質的に大きくし、１対の開口部３１ｇによる換気の効果をより好適に利用できる。この効果は、ドライバＩＣ２７の大きさに対して空気の流量が多いほど顕著である。従って、例えば、本実施形態のように、開口部３１ｇのｙ方向の径がドライバＩＣ２７のｙ方向の幅よりも大きいときに効果的である。
【０１００】
また、本実施形態では、ヘッド５のメディア１０１との対向方向（ｚ方向）に見て、１対の開口部３１ｇ、及び、１対の開口部３１ｇ同士をその両端において結ぶ１対の対辺（第１仮想線Ｌ１及び第２仮想線Ｌ２）に囲まれた第１領域Ｒ１にヒートシンク３３の少なくとも一部が位置している。
【０１０１】
従って、換気がなされやすい第１領域Ｒ１と、ヒートシンク３３との距離（ｚ方向等）が近い。又は、本実施形態とは異なりヒートシンク３３が１対の開口部３１ｇと同等の高さにあるときは、換気がなされやすい空間にヒートシンク３３が位置する。その結果、ヒートシンク３３（ドライバＩＣ２７）の放熱が好適に行われる。また、例えば、ドライバＩＣ２７と第１領域Ｒ１とを重ねることが困難な場合に、ヒートシンク３３を第１領域Ｒ１へ延ばし、実質的にドライバＩＣ２７を第１領域Ｒ１に重ねることができる。
【０１０２】
また、本実施形態では、移動方向（ｘ方向）に見て、ヒートシンク３３のメディア１０１とは反対側（ｚ方向正側）の面は、１対の開口部３１ｇが互いに重なる重複領域３２のメディア１０１側（ｚ方向負側）の縁部の位置若しくは当該位置よりもメディア１０１側の位置にある、又は、１対の開口部３１ｇ（その和の領域。本実施形態では重複領域３２と同じ）のメディア１０１側の縁部の位置若しくは当該位置よりもメディア１０１側の位置にある。
【０１０３】
従って、ヒートシンク３３の表面は、１対の開口部３１ｇによって換気がなされやすい空間に面するとともに、ヒートシンク３３による空気の抵抗は低減される。これにより、開口部３１ｇの面積に対して放熱量を多くすることができる。すなわち、効率的に放熱を行うことができる。なお、ヒートシンク３３のｚ方向負側の構成等によっては（例えば、ヒートシンク３３の間隙３３ｄを大きくできる場合、及び／又は、ヒートシンク３３のｚ方向負側に十分な空間を確保できる場合）、ヒートシンク３３のｚ方向正側の面は、ｙ方向に見て、１対の開口部３１ｇ又はその重複領域３２内に位置するほうが効率的に放熱を行うことができる。従って、ヒートシンク３３等の具体的な構成に応じて、適宜に開口部３１ｇがヒートシンク３３の上に位置する構成が作用されてよい。
【０１０４】
また、本実施形態では、上記のようにヒートシンク３３が１対の開口部３１ｇ又はその重複領域３２のメディア１０１側に位置していることに加え、ケース３１内に、ヒートシンク３３、ケース３１及びヘッド本体２３に囲まれた第２空間Ｓ２が構成されている。
【０１０５】
従って、例えば、ケーブル２５の接続部２５ａ及び圧電アクチュエータ３９の個別電極６５等の第２空間Ｓ２に位置する部材が、開口部３１ｇから第１空間Ｓ１に侵入するインクのミストに曝されるおそれが低減される。その結果、ヘッド５の信頼性が向上する。なお、ヒートシンク３３とケース３１との間に隙間があるなど、第２空間Ｓ２は、完全に密閉されていなくてもよい。この場合でも、インクのミストが接続部２５ａ及び個別電極６５等に触れる可能性は低減される。
【０１０６】
ヒートシンク３３は、金属板を折り返して構成されており、その折り返しによって互いに対向する１対の対向面（第１対向部３３ａ及び第２対向部３３ｂの互いに対向する面）の間に間隙３３ｄを有している。
【０１０７】
従って、ヒートシンク３３は、全体として簡素且つ小型な構成でありながら、第２対向部３３ｂのｚ方向正側の外面だけでなく、第１対向部３３ａ及び第２対向部３３ｂの対向面においても放熱をすることができ、放熱面積が広い。従って、１対の開口部３１ｇによる換気を効率的に利用することができる。
【０１０８】
また、本実施形態では、ヒートシンク３３において、第１対向部３３ａ及び第２対向部３３ｂを対向させる折り返し部３３ｃは、その折り目乃至は湾曲の軸が移動方向（ｘ方向）に沿っている。
【０１０９】
従って、折り返し部３３ｃは、１対の開口部３１ｇによる空気の流れを妨げるような向きで間隙３３ｄに面しない。すなわち、１対の開口部３１ｇを通過する空気は、折り返し部３３ｃに沿って流れる。その結果、間隙３３ｄの換気が速やかに行われ、さらには、第１空間Ｓ１の換気が速やかに行われる。ひいては、ドライバＩＣ２７の放熱が好適に行われる。
【０１１０】
また、本実施形態では、移動方向（ｘ方向）に見て、ヒートシンク３３の折り返し部３３ｃは、１対の開口部３１ｇが互いに重なる重複領域３２の外側に位置している、又は、１対の開口部３１ｇ（その和の領域。本実施形態では重複領域３２と同じ）の外側に位置している。
【０１１１】
従って、折り返し部３３ｃは、１対の開口部３１ｇによる空気の流れを妨げるような位置で間隙３３ｄに面しない。その結果、間隙３３ｄの換気が速やかに行われ、さらには、第１空間Ｓ１の換気が速やかに行われる。なお、上述したヒートシンク３３のｚ方向正側の表面の位置と同様に、ヒートシンク３３及びその周囲の構成によっては、移動方向に見て、移動方向に沿う折り返し部３３ｃが１対の開口部３１ｇ内乃至は重複領域３２に位置していたほうが好ましいことがある。ヒートシンク３３の構成及びその周囲の構成に応じて、適宜に折り返し部３３ｃが外側に位置する構成が選択されてよい。
【０１１２】
また、本実施形態では、ヘッド５は、ヘッド本体２３とドライバＩＣ２７とを接続するケーブル２５を更に有している。ケーブル２５は、ヘッド本体２３に重なり、ヘッド本体２３に接続される接続部２５ａと、接続部２５ａから延びるとともに折り返されて接続部２５ａのヘッド本体２３とは反対側に位置し、ドライバＩＣ２７と接続される第１延在部２５ｂと、を有している。ケーブル２５の第１折り返し部２５ｅは、対向方向（ｚ方向）に見て、１対の開口部３１ｇ、及び、１対の開口部３１ｇ同士をその両端において結ぶ１対の対辺（第１仮想線Ｌ１及び第２仮想線Ｌ２）に囲まれた第１領域Ｒ１の外側に位置している。
【０１１３】
従って、ケーブル２５の第１折り返し部２５ｅが１対の開口部３１ｇによる空気の流れを妨げるおそれが低減される。その結果、第１空間Ｓ１の換気が速やかに行われ、ドライバＩＣ２７の放熱が好適に行われる。また、１対の開口部３１ｇによる空気の流れによってケーブル２５が振動することが抑制され、ひいては、異音を生じるおそれが低減される。
【０１１４】
（変形例）
以下、図８〜図１０を参照して、変形例について説明する。なお、実施形態と同一又は類似する構成については、実施形態と同様の符号を付すことがあり、また、説明を省略する。
【０１１５】
図８（ａ）は、変形例に係るヘッド２０５を示す模式的な側面図（移動方向に見た図）である。ヘッド２０５は、主として、第１空間Ｓ１をヘッド２０５の外部へ開放する開口部２３２の構成が実施形態と相違する。具体的には、以下のとおりである。
【０１１６】
インク供給部材２４１は、実施形態と同様に、ケース２３１の内周面に概ね嵌合してヘッド本体２３と対向し、第１空間Ｓ１を構成している。なお、図８（ａ）では、実施形態とは異なり、バッファー用の２枚の板状部を有していない場合を例示しているが、実施形態と同様に、２枚の板状部を有していてもよい。
【０１１７】
また、ケース２３１のｚ方向正側の縁部には切り欠き２３１ｇが形成されている。この切り欠き２３１ｇは、インク供給部材２４１のヘッド本体２３と対向する部分よりも下方にまで到達しており、第１空間Ｓ１とケース２３１の外部とを連通している。これにより、開口部２３２が構成されている。
【０１１８】
このように、開口部２３２は、ケース２３１に貫通孔が形成されるのではなく、ケース２３１と他の部材（図８（ａ）の変形例ではインク供給部材２４１）との隙間によって構成されてもよい。
【０１１９】
図８（ｂ）は、変形例に係るヘッド３０５を示す模式的な断面図（移動方向に直交する断面の図）である。ヘッド３０５は、主として、比較的小さい複数の貫通孔３３１ｇがケース３３１に形成されることによって開口部３３２が構成されている点が実施形態と相違する。
【０１２０】
なお、複数の貫通孔３３１ｇの大きさ、数、分布は適宜に設定されてよい。なお、実施形態における重複領域３２、第１領域Ｒ１、第２領域Ｒ２等に相当する領域は、例えば、２点鎖線で示すように、全ての貫通孔３３１ｇを包含する最小の多角形を基準として規定されてよい。
【０１２１】
図８（ｂ）の変形例によれば、例えば、大きな異物がケース３１内に侵入するおそれを低減できる。ただし、空気抵抗の観点からは、実施形態のような一の貫通孔（乃至は隙間）からなる開口部が好ましい。なお、実施形態のような１対の開口部に、網状のフィルタ、又は、通気性がある不透水性シートが被せられてもよい。この場合にも、第１空間Ｓ１が１対の開口部を介してヘッドの外部に開放されているといえる。
【０１２２】
図８（ｃ）は、変形例に係るヘッド４０５を示す模式的な断面図（移動方向に直交する断面の図）である。ヘッド４０５は、主として、１対の開口部４３１ｇとヒートシンク４３３との位置関係が実施形態と相違する。
【０１２３】
具体的には、移動方向（ｘ方向）に見て、１対の開口部４３１（その和の領域）又は重複領域（実施形態と同様に、この変形例においても両者は同じものとし、以下では、単に１対の開口部４３１という）の少なくとも一部は、ヒートシンク４３３の第１対向部４３３ａ及び第２対向部４３３ｂの間（間隙４３３ｄ）に位置している。
【０１２４】
例えば、図８（ｃ）に図示した例では、１対の開口部４３１は、ｚ方向においては、その全体が間隙４３３ｄに収まっている。別の観点では、第１対向部４３３ａのｚ方向正側の面（第２対向部４３３ｂに対向する対向面）は、１対の開口部４３１のｚ方向負側の縁部の位置又は当該位置よりもｚ方向負側にある。また、第２対向部４３３ｂのｚ方向負側の面（第１対向部４３３ａに対向する対向面）は、１対の開口部４３１のｚ方向正側の縁部の位置又は当該位置よりもｚ方向正側に位置している。なお、図８（ｃ）の例では、ｙ方向においても、１対の開口部４３１は、その全体が間隙４３３ｄに収まっている。
【０１２５】
このように、移動方向（ｘ方向）に見て、１対の開口部４３１の少なくとも一部が間隙４３３ｄに位置していることにより、間隙４３３ｄの換気を直接的に行うことができる。また、図８（ｃ）に示すように、ｚ方向において１対の開口部４３１が間隙４３３ｄに収まっている場合においては、ヒートシンク４３３が１対の開口部４３１を通過する空気の流れを阻害するおそれが低減される。その結果、効率的にヒートシンク４３３の放熱を行うことができる。
【０１２６】
なお、既に述べたように、ヒートシンク及びその周囲の構成によっては、ｘ方向にみて、第１対向部及び第２対向部が１対の開口部に重なっていたほうがよい場合があり、具体的な構成に応じて適宜に図８（ｃ）の態様が選択されてよい。
【０１２７】
図９（ａ）は、変形例に係るヘッド５０５を示す模式的な断面図（ヘッド５０５とメディア１０１との対向方向に直交する断面の図）である。図９（ｂ）は、図９（ａ）のIX−IX線における断面図である。なお、図９（ｂ）において、点線の開口部３１ｇは、１対の開口部３１ｇのうち、ｘ方向負側の開口部３１ｇを示している。
【０１２８】
この変形例に示すように、１対の開口部３１ｇの位置及び大きさ（形状）は互いに異なっていてもよい。また、ｘ方向に見て１対の開口部３１ｇが互いに重なる重複領域３２（図９（ｂ）にてハッチングして示す。）は、１対の開口部３１ｇの和の領域３０（２点鎖線で示す）よりも小さくてもよいし、さらには、各開口部３１ｇよりも小さくてもよい。さらには、特に図示しないが、ｘ方向に見て１対の開口部３１ｇは互いに重ならなくてもよい。また、図９（ａ）に示すように、平面視において、ドライバＩＣ２７は、その全体ではなく、一部のみが第１領域Ｒ１に位置していてもよい。
【０１２９】
実際のインクジェットヘッドにおいては、ケース及びインク供給部材等の形状は、そのｙｚ平面に対して面対称でないことが一般的であり、また、ケースの側面部に隣接して何らかの部材が配置されることもある。従って、実施形態に示したように、移動方向（ｘ方向）に見て、その全体が互いに重なるように１対の開口部を形成すること等は困難である場合が多い。従って、実際には、図９（ａ）及び図９（ｂ）に例示するような態様が実現しやすい態様である。
【０１３０】
図９（ｃ）は、変形例に係るヘッド６０５を示す模式的な断面図（ヘッド５０５とメディア１０１との対向方向に直交する断面の図）である。この変形例は、主として、ドライバＩＣ２７の配置が実施形態と相違する。
【０１３１】
具体的には、図９（ｃ）では不図示であるが、ケーブル（２５）の延在部は、移動方向（ｘ方向）の両側に延び出て折り返され、取付部材の上に重ねられる。そして、その両側の延在部に１対のドライバＩＣ２７が実装されている。１対のドライバＩＣ２７は、例えば、ｙ方向を長手方向とする直方体状である。
【０１３２】
このように、ドライバＩＣ２７は、移動方向に対して直交する方向を長手方向として配置されてもよい。なお、図９（ｃ）の例では、ドライバＩＣ２７は、第１領域Ｒ１の一部にのみ位置しているが、全体が第１領域Ｒ１に位置するように開口部３１ｇが形成されてもよいことはもちろんである。
【０１３３】
図１０（ａ）は変形例に係るヒートシンク７３３を示す側面図（移動方向（ｘ方向）に見た図）である。図１０（ｂ）はヒートシンク７３３のｚ方向負側の一部の斜視図である。
【０１３４】
ヒートシンク７３３は、実施形態のヒートシンク３３と同様に、金属板が折り返されて構成され、間隙７３３ｄを介して互いに対向する第１対向部７３３ａ及び第２対向部７３３ｂを有している。ただし、第１対向部７３３ａ及び第２対向部７３３ｂの少なくとも一方（図１０では第１対向部７３３ａ）には、少なくとも一方の主面（図１０では間隙７３３ｄ側の主面）に複数の凸部７３３ｐが形成されている。
【０１３５】
複数の凸部７３３ｐは、例えば、移動方向（ｘ方向）に平行に延びる突条によって構成されている。なお、複数の凸部７３３ｐは、第１対向部７３３ａの一部が肉厚に形成されることによって構成されているが、第１対向部７３３ａの厚さは一定のままとされてもよい（凸部７３３ｐの背面に凹部（溝）が形成されてもよい。）。
【０１３６】
なお、第１対向部７３３ａは、間隙７３３ｄ側の面に、凸部７３３ｐではなく、凹部が形成されていると捉えられてもよいし、凹凸部が形成されていると捉えられてもよい。また、図１０の例では、第１対向部７３３ａの、第２対向部７３３ｂと同等の厚さの板状部分に対して凸部７３３ｐが形成されているが、第２対向部７３３ｂと同等の厚さの板状部分に対して凹部が形成されてもよい。凸部の高さ（凹部の深さ）、ピッチ等は適宜に設定されてよい。
【０１３７】
この変形例によれば、ヒートシンク７３３の体積に対して表面積が大きくなるので、効率的に放熱を行うことができる。凸部７３３ｐが移動方向に沿って延びていることから、空気の抵抗を少なくすることができ、より好適に放熱を行うことができる。なお、突条の凸部７３３ｐ（凹溝）に代えて、平面視において矩形若しくは円形の凸部（凹部）が移動方向に配列されてもよい。
【０１３８】
本発明は、以上の実施形態に限定されず、種々の態様で実施されてよい。
【０１３９】
例えば、プリンタ（インクジェットヘッド）は、ピエゾヘッド式及びオフキャリッジ式のカラープリンタに限定されない。例えば、プリンタは、サーマルヘッド式、及び／又は、オンキャリッジ式であってもよいし、カラープリンタでなくてもよい。プリンタにおけるインクジェットヘッド以外の部分（例えばメディアの搬送装置）の構成も例示した構成以外の適宜な構成とされてよい。メディアも紙に限定されず、金属又は樹脂からなるものであってもよい。
【０１４０】
実施形態では、移動方向に見て１対の開口部が重なる態様を中心に説明したが、逆に、積極的に、移動方向に見て１対の開口部が互いに重ならないようにしてもよい。例えば、移動方向に見て１対の開口部が重ならないようにするとともに、空間内の部材を適宜に配置することなどにより、移動方向だけでなく、メディアの搬送方向、及び／又は、ヘッドとメディアとの対向方向にも空気が流れるようにし、実質的に１対の開口部間の流路を長くすることができる。これにより、ヘッドの移動距離及び１対の開口部の面積に対して放熱されやすい領域の面積が大きくなることが期待される。
【符号の説明】
【０１４１】
１…プリンタ、５…ヘッド、２３…ヘッド本体、２７…ドライバＩＣ、３１…ケース、３１ｇ…開口部、３５…インク供給部材、１０１…メディア、Ｓ１…第１空間。
【図１】
0006386324.tif 000002
【図２】
0006386324.tif 000003
【図３】
0006386324.tif 000004
【図４】
0006386324.tif 000005
【図５】
0006386324.tif 000006
【図６】
0006386324.tif 000007
【図７】
0006386324.tif 000008
【図８】
0006386324.tif 000009
【図９】
0006386324.tif 000010
【図１０】
0006386324.tif 000011